(57)【要約】      （修正有）【課題】２次元入力装置、コントローラー及びインタラクティブ式ゲームシステムを提供する。【解決手段】ゲームプログラムに従って作動するゲーム機（１０２）に適用するコントローラー（１００ｂ）を提供する。前記コントローラー（１００ｂ）は、触る場合２次元座標情報を生じるとともにこの２次元座標情報を出力する２次元入力装置（１１２）と、第一通信方式で前記２次元座標情報を接収するとともに第二通信方式でゲーム機にこの２次元座標情報を出力するリモコン（１０８）と、を含む。前記ゲーム機（１０２）は、入力される前記２次元座標情報によりゲームプログラムを実施する。【選択図】図１
2010279676.tif 000002
【特許請求の範囲】
【請求項１】
ゲームプログラムに従って作動するゲーム機に適用するコントローラーにおいて、
触る場合２次元座標情報を生じるとともに、この２次元座標情報を出力する２次元入力装置と、
第一通信方式で前記２次元座標情報を接収し、第二通信方式でゲーム機にこの２次元座標情報を出力するリモコンと、を含み、
前記ゲーム機は、入力される前記２次元座標情報によりゲームプログラムを実施することを特徴とするコントローラー。
【請求項２】
前記２次元入力装置は、
使用者が触れるように前記２次元入力装置の外部に設置されているコントロールパネルと、
前記コントロールパネルに電気接続されて、コントロールパネルを触ることによりタッチ信号を生じ、且つこのタッチ信号を入力するタッチセンサモジュールと、
前記タッチセンサモジュールに電気接続されて、前記タッチ信号に従って２次元座標信号を生ずるとともに、この２次元座標情報を出力する第一マイクロプロセッサーと、
前記第一マイクロプロセッサーに電気接続されて、前記２次元座標情報を接収するとともに、それを第一通信方式で前記リモコンに出力する第一コネクタモジュールと、を含むことを特徴とする請求項１に記載のコントローラー。
【請求項３】
前記第一通信方式は、実の電線で通信する通信方式であることを特徴とする請求項２に記載のコントローラー。
【請求項４】
前記２次元入力装置は、
使用者が触れるように前記２次元入力装置の外部に設置されているコントロールパネルと、
前記コントロールパネルに電気接続されて、コントロールパネルを触ることによりタッチ信号を生じるとともに、このタッチ信号を入力するタッチセンサモジュールと、
前記タッチセンサモジュールに電気接続されて、前記タッチ信号に従って２次元座標信号を生ずるとともに、この２次元座標情報を出力する第一マイクロプロセッサーと、
前記第一マイクロプロセッサーに電気接続されて、前記２次元座標情報を接収するとともに、それを前記リモコンに出力する第三通信モジュールと、を含むことを特徴とする請求項１に記載のコントローラー。
【請求項５】
前記第一通信方式は、無線通信方式であり、前記第三通信モジュールは、入力される２次元座標情報を無線信号に変えるとともに、この無線信号を出力する無線通信方式であることを特徴とする請求項４に記載のコントローラー。
【請求項６】
前記ゲーム機は、作動する場合光線を出す光源発射モジュールに電気接続されていることを特徴とする請求項１に記載のコントローラー。
【請求項７】
前記リモコンは、
使用者の操作に従って操作指令信号を生じ、且つこの操作指令信号を出力する操作モジュールと、
前記リモコンの移動に従って加速度信号を生じ、且つこの加速度指令信号を出力する加速度センサと、
光源発射モジュールの光線を介して移動信号を生じ、且つこの移動信号を出力する画像処理回路と、
前記第一通信方式で前記２次元座標情報を受け、且つこの２次元座標情報を出力する第二コネクタモジュールと、
前記第二コネクタモジュール、前記画像処理モジュール、前記操作モジュール及び前記加速度センサに電気接続されて、２次元座標情報、操作指令、加速度信号及び移動信号を受け、且つ前記第二通信方式で２次元座標情報、操作指令、加速度信号及び移動信号を前記ゲーム機に伝送するコア電気回路と、を含むことを特徴とする請求項６に記載のコントローラー。
【請求項８】
前記コア電気回路は、
前記第二コネクタモジュール、画像処理モジュール、操作モジュール及び加速度センサに電気接続されて、２次元座標情報、操作指令、加速度信号及び移動信号を受ける第二マイクロプロセッサーと、
前記第二マイクロプロセッサーに電気接続されて２次元座標情報、操作指令、加速度信号及び移動信号を受けるとともに、前記第二通信方式で２次元座標情報、操作指令、加速度信号及び移動信号を前記ゲーム機に伝送する通信モジュールと、
２次元座標情報、操作指令、加速度信号及び移動信号を瞬間的に保存する第二記憶装置と、を含むことを特徴とする請求項７に記載のコントローラー。
【請求項９】
前記画像処理回路は、
光源発射モジュールの光線で赤外線だけを透過させる赤外線透過レンズと、
前記赤外線透過レンズを透過する赤外線を集光させるレンズと、
前記レンズにより集光される赤外線に従って画像を生ずるとともに、この画像を出力する撮影モジュールと、
前記撮影モジュールと第二マイクロプロセッサーに電気接続されて、前記画像に従って移動信号を生ずるとともの、この移動信号を前記第二マイクロプロセッサーに伝送する画像処理モジュールと、を含むことを特徴とする請求項８に記載のコントローラー。
【請求項１０】
前記第一通信方式は、実の電線で通信する通信方式であることを特徴とする請求項７に記載のコントローラー。
【請求項１１】
前記リモコンは、
使用者の操作に従って操作指令信号を生ずるとともに、この操作指令信号を出力する操作モジュールと、
前記リモコンの移動に従って加速度信号を生ずるとともに、この加速度指令信号を出力する加速度センサと、
光源発射モジュールの光線を介して移動信号を生ずるとともに、この移動信号を出力する画像処理回路と、
前記第一通信方式で前記２次元座標情報を受けるとともに、この２次元座標情報を出力する第二通信モジュールと、
前記第二通信モジュール、前記画像処理モジュール、前記操作モジュール及び前記加速度センサに電気接続されて、２次元座標情報、操作指令、加速度信号及び移動信号を受けるとともに、前記第二通信方式で２次元座標情報、操作指令、加速度信号及び移動信号を前記ゲーム機に伝送するコア電気回路と、を含むことを特徴とする請求項６に記載のコントローラー。
【請求項１２】
前記コア電気回路は、
前記第二通信モジュール、画像処理モジュール、操作モジュール及び加速度センサに電気接続されて、２次元座標情報、操作指令、加速度信号及び移動信号を受ける第二マイクロプロセッサーと、
前記第二マイクロプロセッサーに電気接続されて２次元座標情報、操作指令、加速度信号及び移動信号を受けるとともに、前記第二通信方式で２次元座標情報、操作指令、加速度信号及び移動信号を前記ゲーム機に伝送する第一通信モジュールと、
２次元座標情報、操作指令、加速度信号及び移動信号を瞬間的に保存する第二記憶装置と、を含むことを特徴とする請求項１１に記載のコントローラー。
【請求項１３】
前記画像処理回路は、
光源発射モジュールの光線で赤外線だけを透過させる赤外線透過レンズと、
前記赤外線透過レンズを透過する赤外線を集光させるレンズと、
前記レンズにより集光される赤外線に従って画像を生ずるとともに、この画像を出力する撮影モジュールと、
前記撮影モジュールと第二マイクロプロセッサーに電気接続されて、前記画像に従って移動信号を生ずるとともの、この移動信号を前記第二マイクロプロセッサーに伝送する画像処理モジュールと、を含むことを特徴とする請求項１２に記載のコントローラー。
【請求項１４】
前記第一通信方式は、無線通信方式であり、前記第二通信モジュールは、入力される２次元座標情報を無線信号に変えるとともに、この無線信号を出力する無線通信方式であることを特徴とする請求項１１に記載のコントローラー。
【請求項１５】
前記第二通信モジュールは、実の電線で通信する有線通信方式或いは無線通信方式であることを特徴とする請求項１に記載のコントローラー。
【請求項１６】
前記コントロールパネルは、抵抗式、コンデンサー式、光学式、光学式又は音波式コントロールパネルであることを特徴とする請求項１に記載のコントローラー。
【請求項１７】
ゲームプログラムを実行するゲーム機と、
前記ゲームプログラムの内容を表示する表示装置と、
触る場合２次元座標情報を生じるとともにこの２次元座標情報を出力する２次元入力装置と、第一通信方式で前記２次元座標情報を接収するとともに第二通信方式でゲーム機にこの２次元座標情報を出力するリモコンと、を具備するコントローラと、を含み、
前記ゲーム機は、入力される前記２次元座標情報によりゲームプログラムを実施することを特徴とするインタラクティブ式ゲームシステム。
【請求項１８】
前記２次元入力装置は、
使用者が触れるように前記２次元入力装置の外部に設置されているコントロールパネルと、
前記コントロールパネルに電気接続されて、コントロールパネルを触ることによりタッチ信号を生ずるとともに、且つこのタッチ信号を入力するタッチセンサモジュールと、
前記タッチセンサモジュールに電気接続されて、前記タッチ信号に従って２次元座標信号を生ずるとともに、この２次元座標情報を出力する第一マイクロプロセッサーと、
前記第一マイクロプロセッサーに電気接続されて、前記２次元座標情報を接収するとともに、それを前記リモコンに出力する第一コネクタモジュールと、を含むことを特徴とする請求項１７に記載のインタラクティブ式ゲームシステム。
【請求項１９】
前記２次元入力装置は、
使用者が触れるように前記２次元入力装置の外部に設置されているコントロールパネルと、
前記コントロールパネルに電気接続されて、コントロールパネルを触ることによりタッチ信号を生じるとともに、このタッチ信号を入力するタッチセンサモジュールと、
前記タッチセンサモジュールに電気接続されて、前記タッチ信号に従って２次元座標信号を生ずるとともに、この２次元座標情報を出力する第一マイクロプロセッサーと、
前記第一マイクロプロセッサーに電気接続されて、前記２次元座標情報を接収するとともに、それを前記リモコンに出力する第三通信モジュールと、を含むことを特徴とする請求項１７に記載のインタラクティブ式ゲームシステム。
【請求項２０】
前記ゲーム機は、作動する場合光線を出す光源発射モジュールに電気接続されていることを特徴とする請求項１７に記載のインタラクティブ式ゲームシステム。
【請求項２１】
前記リモコンは、
使用者の操作に従って操作指令信号を生ずるとともに、この操作指令信号を出力する操作モジュールと、
前記リモコンの移動に従って加速度信号を生ずるとともに、この加速度指令信号を出力する加速度センサと、
光源発射モジュールの光線を介して移動信号を生ずるとともに、この移動信号を出力する画像処理回路と、
前記第一通信方式で前記２次元座標情報を受けるとともに、この２次元座標情報を出力する第二コネクタモジュールと、
前記第二コネクタモジュール、前記画像処理モジュール、前記操作モジュール及び前記加速度センサに電気接続されて、２次元座標情報、操作指令、加速度信号及び移動信号を受けるとともに、前記第二通信方式で２次元座標情報、操作指令、加速度信号及び移動信号を前記ゲーム機に伝送するコア電気回路と、を含むことを特徴とする請求項２０に記載のインタラクティブ式ゲームシステム。
【請求項２２】
前記リモコンは、
使用者の操作に従って操作指令信号を生ずるとともに、この操作指令信号を出力する操作モジュールと、
前記リモコンの移動に従って加速度信号を生ずるとともに、この加速度指令信号を出力する加速度センサと、
光源発射モジュールの光線を介して移動信号を生ずるとともに、この移動信号を出力する画像処理回路と、
前記第一通信方式で前記２次元座標情報を受けるとともに、この２次元座標情報を出力する第二通信モジュールと、
前記第二通信モジュール、前記画像処理モジュール、前記操作モジュール及び前記加速度センサに電気接続されて、２次元座標情報、操作指令、加速度信号及び移動信号を受けるとともに、前記第二通信方式で２次元座標情報、操作指令、加速度信号及び移動信号を前記ゲーム機に伝送するコア電気回路と、を含むことを特徴とする請求項２０に記載のインタラクティブ式ゲームシステム。
【請求項２３】
ゲームプログラムに従って作動するゲーム機と通信する２次元入力装置において、
使用者が触れるように前記２次元入力装置の外部に設置されているコントロールパネルと、
前記コントロールパネルに電気接続されて、コントロールパネルを触ることによりタッチ信号を生じるとともに、このタッチ信号を入力するタッチセンサモジュールと、
使用者の操作に従って操作指令信号を生ずるとともに、この操作指令信号を出力する操作モジュールと、
前記リモコンの移動に従って加速度信号を生ずるとともに、この加速度指令信号を出力する加速度センサと、
光源発射モジュールの光線を介して移動信号を生ずるとともに、この移動信号を出力する画像処理回路と、
前記第二通信モジュール、前記画像処理モジュール、前記操作モジュール及び前記加速度センサに電気接続されて、２次元座標情報、操作指令、加速度信号及び移動信号を受けるとともに、前記第二通信方式で２次元座標情報、操作指令、加速度信号及び移動信号を前記ゲーム機に伝送するコア電気回路と、を含むことを特徴とすることを特徴とする２次元入力装置。
【請求項２４】
前記コア電気回路は、
前記タッチセンサモジュールと、画像処理モジュール、操作モジュール及び加速度センサに電気接続されて、前記タッチセンサモジュールのタッチ信号により２次元座標情報を生ずるとともに、前記２次元座標情報、操作指令、加速度信号及び移動信号を出力するマイクロプロセッサーと、
前記マイクロプロセッサーに電気接続されて２次元座標情報、操作指令、加速度信号及び移動信号を受けるとともに、前記通信方式で２次元座標情報、操作指令、加速度信号及び移動信号を前記ゲーム機に伝送する通信モジュールと、
２次元座標情報、操作指令、加速度信号及び移動信号を瞬間的に保存する記憶装置と、を含むことを特徴とする請求項２３に記載の２次元入力装置。
【請求項２５】
前記画像処理回路は、
光源発射モジュールの光線で赤外線だけを透過させる赤外線透過レンズと、
前記赤外線透過レンズを透過する赤外線を集光させるレンズと、
前記レンズにより集光される赤外線に従って画像を生ずるとともに、この画像を出力する撮影モジュールと、
前記撮影モジュールとマイクロプロセッサーに電気接続されて、前記画像に従って移動信号を生ずるとともの、この移動信号を前記マイクロプロセッサーに伝送する画像処理モジュールと、を含むことを特徴とする請求項２４に記載の２次元入力装置。
【請求項２６】
前記通信方式は、実の電線で通信する有線通信方式或いは無線通信方式であることを特徴とする請求項２３に記載の２次元入力装置。
【請求項２７】
前記コントロールパネルは、抵抗式、コンデンサー式、光学式、光学式又は音波式コントロールパネルであることを特徴とする請求項２３に記載の２次元入力装置。
【請求項２８】
ゲームプログラムを実行するゲーム機と、
前記ゲームプログラムの内容を表示する表示装置と、
触る場合２次元座標情報を生じるとともにこの２次元座標情報を出力する２次元入力装置と、を含み、
前記ゲーム機は、入力される前記２次元座標情報によりゲームプログラムを実施することを特徴とするインタラクティブ式ゲームシステム。
【請求項２９】
前記２次元入力装置は、
使用者が触れるように前記２次元入力装置の外部に設置されているコントロールパネルと、
前記コントロールパネルに電気接続されて、コントロールパネルを触ることによりタッチ信号を生じるとともに、このタッチ信号を入力するタッチセンサモジュールと、
使用者の操作に従って操作指令信号を生ずるとともに、この操作指令信号を出力する操作モジュールと、
前記リモコンの移動に従って加速度信号を生ずるとともに、この加速度指令信号を出力する加速度センサと、
光源発射モジュールの光線を介して移動信号を生ずるとともに、この移動信号を出力する画像処理回路と、
前記第二通信モジュール、前記画像処理モジュール、前記操作モジュール及び前記加速度センサに電気接続されて、２次元座標情報、操作指令、加速度信号及び移動信号を受けるとともに、前記第二通信方式で２次元座標情報、操作指令、加速度信号及び移動信号を前記ゲーム機に伝送するコア電気回路と、を含むことを特徴とする請求項２８に記載のインタラクティブ式ゲームシステム。
【発明の詳細な説明】
【技術分野】
【０００１】
本発明は、コントローラー技術に関し、特に左側手持ち式操作装置に代りに平面式入力装置を使用した２次元入力装置、コントローラー及びインタラクティブ式（ｉｎｔｅｒａｃｔｉｖｅ）ゲームシステムに関する。
【背景技術】
【０００２】
従来のゲームシステムは、使用者に快楽を作ってあげられるが、ゲーム機と使用者がお互いに作用されない（インタラクティブ式ができない）ので、十分な真実的な操作を実現することができない。ロールプレーイングゲーム（Ｒｏｌｅ−Ｐｌａｙｉｎｇ  Ｇａｍｅ）において、３次元の画質がいくら良くても十分な真実的な操作を実現することができない。
【０００３】
前記問題を解決し、ゲーム機と使用者との間のインタラクティブを実現し、現場に着いた感じを実現するために日本の任天堂会社でＷＩＩというゲームシステムを開発した。ＷＩＩゲームシステムは、無線通信で接続されるコントローラ（ＷＩＩリモコン）による直感的な操作の実現することができる。即ち、使用者が前記ＷＩＩリモコンを持って移動させる場合、ゲームシステムは無線通信で通信されるＷＩＩリモコンの移動状態に従ってゲームプログラムを制御し、実施する。従って、使用者が直接に現場に着いてゲームに参加する感じを感じられる。しかし、運動類ゲームではなく、頭で勝敗を争うゲームで、前記ＷＩＩリモコンを移動させる必要がないので、前記ＷＩＩゲームシステムを遊ぶのが難しくなる。
【０００４】
本発明の主な目的は、上述した問題を解決しようとする２次元入力装置、コントローラー及びインタラクティブ式ゲームシステムを提供することにある。
【発明の開示】
【課題を解決するための手段】
【０００５】
上記課題を解決するために本発明では、ゲームプログラムに従って作動するゲーム機に適用するコントローラーを提供する。前記コントローラーは、触る場合２次元座標情報を生じるとともにこの２次元座標情報を出力する２次元入力装置と、第一通信方式で前記２次元座標情報を接収するとともに第二通信方式でゲーム機にこの２次元座標情報を出力するリモコンと、を含む。前記ゲーム機は、入力される前記２次元座標情報によりゲームプログラムを実施する。
【０００６】
前記コントローラーで、前記２次元入力装置は、コントロールパネルと、タッチセンサモジュールと、第一マイクロプロセッサーと、第一コネクタモジュールと、を含む。前記コントロールパネルは、使用者が触れるように前記２次元入力装置の外部に設置されている。前記タッチセンサモジュールは、前記コントロールパネルに電気接続されて、コントロールパネルを触ることによりタッチ信号を生じ、且つこのタッチ信号を入力する。前記第一マイクロプロセッサーは、前記タッチセンサモジュールに電気接続されて、前記タッチ信号に従って２次元座標信号を生ずるとともに、この２次元座標情報を出力する。前記第一コネクタモジュールは、前記第一マイクロプロセッサーに電気接続されて、前記２次元座標情報を接収するとともに、それを第一通信方式で前記リモコンに出力する。
【０００７】
前記コントローラーで、前記第一通信方式の代わりに第三通信モジュールを使用し、無線方式で前記リモコンと信号を通信することができる。
【０００８】
上記課題を解決するために本発明では、ゲーム機と、表示装置と、コントローラと、を含むインタラクティブ式ゲームシステムを提供する。前記ゲーム機は、ゲームプログラムを実行する。前記表示装置は、前記ゲームプログラムの内容を表示する。前記コントローラは、２次元入力装置及びリモコンを具備する。前記２次元入力装置は、触る場合２次元座標情報を生じるとともにこの２次元座標情報を出力する。前記リモコンは、第一通信方式で前記２次元座標情報を接収するとともに第二通信方式でゲーム機にこの２次元座標情報を出力する。前記ゲーム機は、入力される前記２次元座標情報によりゲームプログラムを実施する。
【０００９】
上記課題を解決するために本発明では、ゲーム機と通信し、ゲームプログラムに従って作動するゲーム機に適用する。２次元入力装置は、コントロールパネルと、タッチセンサモジュールと、操作モジュールと、加速度センサと、画像処理回路と、コア電気回路と、を含む２次元入力装置を提供する。前記コントロールパネルは、使用者が触れるように前記２次元入力装置の外部に設置されている。前記タッチセンサモジュールは、前記コントロールパネルに電気接続されて、コントロールパネルを触ることによりタッチ信号を生じるとともに、このタッチ信号を入力する。前記操作モジュールは、使用者の操作に従って操作指令信号を生ずるとともに、この操作指令信号を出力する。前記加速度センサは、前記リモコンの移動に従って加速度信号を生ずるとともに、この加速度指令信号を出力する。前記画像処理回路は、光源発射モジュールの光線を介して移動信号を生ずるとともに、この移動信号を出力する。前記コア電気回路は、前記第二通信モジュール、前記画像処理モジュール、前記操作モジュール及び前記加速度センサに電気接続されて、２次元座標情報、操作指令、加速度信号及び移動信号を受けるとともに、前記第二通信方式で２次元座標情報、操作指令、加速度信号及び移動信号を前記ゲーム機に伝送する。。
【００１０】
上記課題を解決するために本発明では、ゲーム機と、表示装置と、２次元入力装置と、を含むインタラクティブ式ゲームシステムを提供する。前記ゲーム機は、ゲームプログラムを実行する。前記表示装置は、前記ゲーム機に電気接続されてゲームプログラムの内容を表示する。前記２次元入力装置は、触る場合２次元座標情報を生じるとともにこの２次元座標情報を出力する。前記ゲーム機は、入力される前記２次元座標情報によりゲームプログラムを実施する。
【発明の効果】
【００１１】
上述したように、コントローラーに設置される２次元入力装置において、使用者が２次元入力装置を介してゲームプログラムとインタラクティブ式データを入力することができるから、使用者が多様なゲームプログラムを選択することができる。また、２次元入力装置とゲーム機が互いに通信することができるから、操作の過程を簡単にし、より多い種類のゲームを遊べる。
【発明を実施するための形態】
【００１２】
図１は、本発明の第一実施形態に係るインタラクティブ式（ｉｎｔｅｒａｃｔｉｖｅ）ゲームシステムを示す図である。前記インタラクティブ式ゲームシステム１００は、ゲームシステム本体１００ａと、コントローラー１００ｂと、表示装置１０４と、を含む。前記ゲームシステム本体１００ａは、ゲーム機１０２と、光源発射モジュール１０６と、を含み、前記コントローラー１００ｂは、リモコン１０８と、電線１１０と、２次元入力装置１１２と、を含む。
【００１３】
前記ゲーム機１０２は、前記表示装置１０４と前記光源発射モジュール１０６に電気接続されている。前記ゲーム機１０２の中には、ゲームＤＶＤや、ゲームカードや、他のメモリ等のゲームプログラムをもらって保存又は使用するＲＯＭおよびＲＡＭが内蔵されておる。前記ゲーム機１０２を駆動させると、前記ゲームプログラムが実行されるとともに、ゲームプログラムの内容が前記表示装置１０４に表示される。且つ、前記ゲーム機１０２が前記光源発射モジュール１０６に光源発射信号を出力する。本発明のゲーム機１０２は、任天堂会社のＷＩＩ又は他のゲーム機である。
【００１４】
前記リモコン１０８は、複数のボタン１０８ａ、１０８ｂ、１０８ｃ、１０８ｄ、１０８ｅ、１０８ｆ、１０８ｇ、１０８ｈ及び指示ランプ１０８ｉを含む。前記複数のボタン１０８ａ〜１０８ｈでおいて、ボタン１０８ａはリモコンを開閉させるスイッチボタンであり、ボタン１０８ｂは方向を制御する十字形或いは環形の方向ボタンであり、ボタン１０８ｃ、１０８ｇ及び１０８ｈは別々の機能を実現する機能ボタンであり、ボタン１０８ｄは選択ボタンであり、ボタン１０８ｅはメニュボタンであり、ボタン１０８ｆは開始ボタンである。他の実施形態で需要に従って前記複数のボタンを他の方式に配列することもできる。前記指示ランプ１０８ｉは、前記リモコン１０８の各種の設定状態を指示するか、複数のリモコン１０８がある場合、リモコンの位置番号を表示する。
【００１５】
図２は、本発明の第一実施形態に係るインタラクティブ式ゲームシステムの２次元入力装置とリモコンの電気回路を示す図である。図２の２次元入力装置１１２は、コントロールパネル２２８と、タッチセンサモジュール２３０と、第一マイクロプロセッサー２３２と、第一記憶装置２３４と、第一コネクタモジュール２２６と、を含む。前記第一コネクタモジュール２２６は、実の電線などによって前記リモコン１０８と情報を伝送する。前記コントロールパネル２２８は、図１のコントロールパネル１１４と同じな素子である。前記図１のコントロールパネル１１４は、抵抗式、コンデンサー式、又は光電式コントロールパネルである。
【００１６】
前記コントロールパネル２２８は、使用者が触れるように前記２次元入力装置１１２の外部に設置されている。又は、使用者がコントロールパネル２２８の上で操作するように、コントロールパネル２２８の上設置されている。前記第一記憶装置２３４は、前記第一マイクロプロセッサー２３２の作動に必要なプログラムを保存するか、２次元座標の情報を保存する。
【００１７】
前記タッチセンサモジュール２３０は、前記コントロールパネル２２８に電気接続されている。使用者が前記コントロールパネル２２８を触る場合、前記タッチセンサモジュール２３０にタッチ信号が生ずるとともに、このタッチ信号が前記第一マイクロプロセッサー２３２に入力される。前記第一マイクロプロセッサー２３２は、前記タッチ信号に従って２次元座標情報を生ずるとともに、この２次元座標情報を前記第一コネクタモジュール２２６に伝送する。前記２次元座標情報は、ある機能を実施する指令信号又は位置に関する位置指令信号である。又は、前記第一マイクロプロセッサー２３２が前記コントロールパネル２２８の設計に根拠して対応する２次元座標情報を生ずるとともに、この２次元座標情報を前記第一マイクロプロセッサー２３２に入力させる。
【００１８】
前記第一コネクタモジュール２２６は、前記第一マイクロプロセッサー２３２に電気接続されて前記２次元座標情報を受けるとともに、電線１１０を介して２次元座標情報を前記リモコン１０８に入力する。図２に示すように、前記リモコン１０８は、コア電気回路２０２と、画像処理回路２０４と、操作モジュール２０６と、加速度センサ２０８と、第二コネクタモジュール２１０と、を含む。前記第二コネクタモジュール２１０は、前記２次元入力装置１１２の第一コネクタモジュール２２６に電気接続されて、前記２次元座標情報を受ける。
【００１９】
前記操作モジュール２０６は、使用者の操作に従って操作指令信号を生ずるとともに、この操作指令信号を前記コア電気回路２０２に入力する。前記操作モジュール２０６は、操作ボタン１０８ａ、１０８ｂ、１０８ｃ、１０８ｄ、１０８ｅ、１０８ｆ、１０８ｇ、１０８ｈを含む。
【００２０】
前記加速度センサ２０８は、前記リモコン１０８の移動により加速度信号を生ずるとともに、この加速度指令信号を前記コア電気回路２０２に入力する。前記加速度センサ２０８は、前記リモコン１０８の加速度を検出するセンサである。
【００２１】
前記画像処理回路２０４は、図１に示す光源発射モジュール１０６の光線を介して前記リモコン１０８の移動量に関する移動信号を生ずるとともに、この移動信号を前記コア電気回路２０２に入力する。前記画像処理回路２０４は、赤外線透過レンズ２１８と、レンズ２２０と、撮影モジュール２２２と、画像処理モジュール２２４と、を含む。外部の光線と図１の光源発射モジュール１０６の光線が前記赤外線透過レンズ２１８に入射される場合、赤外線だけが前記赤外線透過レンズ２１８を透過する。前記レンズ２２０は、前記赤外線透過レンズ２１８に後ろに設置されて、赤外線透過レンズ２１８を透過する赤外線を前記撮影モジュール２２２に集光させる。
【００２２】
前記撮影モジュール２２２は、前記レンズ２２０の後ろに設置されてレンズ２２０により集光される赤外線に従って画像を生ずるとともに、この画像を前記画像処理モジュール２２４に伝送する。前記画像処理モジュール２２４は、前記撮影モジュール２２２と前記コア電気回路２０２に電気接続されて、前記画像の最高輝度の点を検出するとともに、この最高輝度の点により対応する移動信号を生ずる。最後、生ずる前記移動信号を前記コア電気回路２０２に伝送する。
【００２３】
前記コア電気回路２０２は、第二マイクロプロセッサー２１２と、通信モジュール２１４と、第二記憶装置２１６と、を含む。前記第二マイクロプロセッサー２１２は、前記第二コネクタモジュール２１０、画像処理モジュール２２４、操作モジュール２０６、加速度センサ２０８、通信モジュール２１４、第二記憶装置２１６に電気接続されている。
【００２４】
前記第二マイクロプロセッサー２１２は、２次元座標情報、操作指令、加速度信号及び移動信号を受けるとともに、前記加速度信号及び移動信号により前記リモコン１０８の位置を判断する。且つ、検出した前記リモコン１０８の位置情報、２次元座標情報及び操作指令を前記通信モジュール２１４に伝送する。
【００２５】
前記通信モジュール２１４は、有線又は無線方式で図１のゲーム機１０２と通信する。有線方式で通信する場合、前記通信モジュール２１４は、入力される前記リモコン１０８の位置情報、２次元座標情報及び操作指令を電線（図に示しない）を介して、前記ゲーム機１０２に伝送してゲーム機１０２が作動するようにする。無線方式で通信する場合、前記通信モジュール２１４が入力される前記リモコン１０８の位置情報、２次元座標情報及び操作指令を無線信号に変えるとともに、アンテナ（図に示しない）を介して無線方式で前記ゲーム機１０２に伝送する。
【００２６】
前記通信モジュール２１４とゲーム機１０２との間の無線通信方式は、赤外線伝送方式、ブルートゥース（Ｂｌｕｅｔｏｏｔｈ）伝送方式等である。前記第二記憶装置２１６は、前記２次元座標情報、操作指令及び前記リモコン１０８に関する位置情報を瞬間的に保存する。
【００２７】
前記コントローラー１００ｂの使用者が、前記２次元入力装置１１２を介して資料を入力する場合（即ち、前記コントロールパネル２２８を触る場合）、前記タッチセンサモジュール２３０がタッチ信号を生ずるとともに、このタッチ信号を前記第一マイクロプロセッサー２３２に伝送する。前記第一マイクロプロセッサー２３２は、入力されたタッチ信号により２次元座標情報を生ずる。次に、前記第一マイクロプロセッサー２３２が前記第一コネクタモジュール２２６を介して、前記２次元座標情報を前記リモコン１０８の第二コネクタモジュール２１０に伝送する。前記第二コネクタモジュール２１０に電気接続される第二マイクロプロセッサー２１２は、入力される２次元座標情報を処理して、前記通信モジュール２１４に通信する。前記通信モジュール２１４は、入力される情報を前記ゲーム機１０２に伝送する。
【００２８】
図３は、本発明の他の実施形態に係る２次元入力装置とリモコンの電気回路を示す図である。説明を簡単にするために、図２と同じな電気回路に対して再度説明しない。図２と図３が違い所は、２次元入力装置１１２とリモコン１０８が無線通信方式で資料を伝送することである。図３で、前記２次元入力装置１１２に第三通信モジュール３２６が設置され、前記リモコン１０８に第二通信モジュール３１０が設置されている。
【００２９】
図３の前記２次元入力装置１１２で、第一マイクロプロセッサー２３２が２次元座標情報を第三通信モジュール３２６に伝送する。前記第三通信モジュール３２６は、入力される２次元座標情報を無線信号に変えるとともに、アンテナ（図面に示しない）を介して前記第二通信モジュール３１０に伝送する。前記第二通信モジュール３１０は、無線通信方式で伝送される２次元座標情報を第二マイクロプロセッサー２１２に適用する信号に変えて、第二マイクロプロセッサー２１２に入力する。
【００３０】
図３で、前記第二通信モジュール３１０と前記第三通信モジュール３２６との間の無線通信方式は、赤外線伝送方式、ブルートゥース（Ｂｌｕｅｔｏｏｔｈ）伝送方式等である。図３の第一通信モジュール２１４の作動と図２の通信モジュール２１４の作動が同じであるので、再度説明しない。
【００３１】
図４は、本発明の他の実施形態に係るインタラクティブ式ゲームシステムを示す図である。前記インタラクティブ式ゲームシステム４００は、ゲームシステム本体４００ａと、コントローラー４００ｂと、表示装置４０４と、を含む。前記ゲームシステム本体４００ａは、ゲーム機４０２と、光源発射モジュール４０６と、を含み、前記コントローラー４００ｂは、２次元入力装置４１２と、を含む。
【００３２】
図４のゲーム機４０２と図１のゲーム機１０２が同じので、再度説明しない。且つ、図４の表示装置４０４及び光源発射モジュール４０６と図１の表示装置１０４及び光源発射モジュール１０６も同じので、再度説明しない。
【００３３】
図５は、図４のインタラクティブ式ゲームシステムの２次元入力装置とリモコンの電気回路を示す図である。図５の２次元入力装置４１２は、コア電気回路５０２と、画像処理回路５０４と、操作モジュール５０６と、加速度センサ５０８と、タッチセンサモジュール５２６と、を含む。前記コア電気回路５０２は、マイクロプロセッサー５１２と、通信モジュール５１４と、記憶装置５１６と、を含む。図５のコントロールパネル５２８も図４のコントロールパネル４１４の通り、抵抗式、コンデンサー式、又は光電式コントロールパネルである。
【００３４】
前記コントロールパネル５２８は、使用者が触れるように前記２次元入力装置４１２の外部に設置されている。又は、前記コントロールパネル５２８の１つの面が前記２次元入力装置４１２の外部に露出して設置されて、使用者がこの面を触るようにする。
【００３５】
前記タッチセンサモジュール５２６は、前記コントロールパネル５２８に電気接続されている。使用者が前記コントロールパネル５２８を触る場合、前記タッチセンサモジュール５２６がタッチ信号を生ずるとともに、このタッチ信号が前記マイクロプロセッサー５１２に入力される。
【００３６】
前記マイクロプロセッサー５１２は、前記タッチ信号に従って２次元座標情報を生ずるとともに、この２次元座標情報を前記通信モジュール５１４に伝送する。前記２次元座標情報は、ある機能を実施する指令信号又は位置に関する位置指令信号である。
【００３７】
前記第一マイクロプロセッサー５１２は、前記コントロールパネル５２８のタッチ信号に従って２次元座標情報を生ずるとともに、この２次元座標情報を前記通信モジュール５１４に伝送する。この場合、図４のゲーム機４０２は、入力された２次元座標情報に従って、対応する機能を実施する。
【００３８】
前記２次元入力装置４１２には、図１のリモコン１０８と同じな複数のボタン１０８ａ、１０８ｂ、１０８ｃ、１０８ｄ、１０８ｅ、１０８ｆ、１０８ｇ、１０８ｈが設置されている。前記操作モジュール５０６は、使用者の操作に従って指令を生じて前記マイクロプロセッサー５１２に入力する。
【００３９】
本実施形態で、前記操作モジュール５０６を設置しなく、前記コントロールパネル５２８の上に操作ボタンのパターンを設置して、使用が用いるようにすることができる。即ち、図１の実際的なボタンを設置しなくても、パターンに形成される前記コントロールパネル５２８の操作ボタンを操作して、タッチ操作を実現することができる。
【００４０】
前記加速度センサ５０８は、前記２次元入力装置４１２の移動に従って加速度信号を生ずるとともに、この加速度指令信号を前記マイクロプロセッサー５１２に入力させる。前記加速度センサ５０８は、前記２次元入力装置４１２の加速度を検出するセンサである。
【００４１】
前記画像処理回路５０４は、図４の光源発射モジュール４０６の光線により前記２次元入力装置４１２の移動量に関する移動信号を生ずるとともに、この移動信号を前記マイクロプロセッサー５１２に入力させる。前記画像処理回路５０４は、赤外線透過レンズ５１８と、レンズ５２０と、撮影モジュール５２２と、画像処理モジュール５２４と、を含む。外部の光線と図４の光源発射モジュール４０６の光線が前記赤外線透過レンズ５１８に入射される場合、赤外線だけが前記赤外線透過レンズ５１８を透過する。前記レンズ５２０は、前記赤外線透過レンズ５１８に後ろに設置されて、赤外線透過レンズ５１８を透過する赤外線前記撮影モジュール５２２に集光させる。
【００４２】
前記撮影モジュール５２２は、前記レンズ５２０の後ろに設置されてレンズ５２０により集光される赤外線により画像を生ずるとともに、この画像を前記画像処理モジュール５２４に伝送する。前記画像処理モジュール５２４は、前記撮影モジュール５２２と前記マイクロプロセッサー５１２に電気接続されて、前記画像の最高輝度の点を検出するとともに、この最高輝度の点により移動信号を生ずる。最後、生ずる前記移動信号を前記コア電気回路５０２に入力させる。
【００４３】
前記マイクロプロセッサー５１２は、コネクタモジュール５１０と、画像処理モジュール５２４と、操作モジュール５０６と、加速度センサ５０８と、信モジュール５１４及び記憶装置５１６に電気接続されている。
【００４４】
前記第二マイクロプロセッサー５１２は、タッチ信号、操作指令、加速度信号及び移動信号を受けるとともに、前記加速度信号及び移動信号により前記２次元入力装置４１２の位置を検出し、前記タッチ信号に根拠して２次元座標情報を生ずる。且つ、この２次元座標情報及び操作指令を通信モジュール５１４に伝送する。
【００４５】
前記通信モジュール５１４は、有線又は無線方式で図４のゲーム機４０２と通信する。有線方式で通信する場合、前記通信モジュール５１４は、入力される前記２次元入力装置４１２の位置情報、２次元座標情報及び操作指令を電線（図に示しない）を介して、前記ゲーム機４０２に伝送して、ゲーム機４０２が作動するようにする。無線方式で通信する場合、前記通信モジュール５１４が入力される前記２次元入力装置４１２の位置情報、２次元座標情報及び操作指令を無線信号に変えるとともに、アンテナを介して無線方式で前記ゲーム機４０２に伝送する。
【００４６】
リモコン４０８と図４のゲーム機４０２との間の無線通信方式は、赤外線伝送方式、ブルートゥース伝送方式等である。前記記憶装置５１６は、瞬間的に２次元座標情報、操作指令及び前記２次元入力装置４１２に関する位置情報を保存する。
【００４７】
コントローラー４００ｂの使用者が、前記２次元入力装置４１２を介して資料を入力する場合（即ち、前記コントロールパネル５２８を触る場合）、前記タッチセンサモジュール５３０がタッチ信号を生ずるとともに、このタッチ信号を前記マイクロプロセッサー５１２に伝送する。前記マイクロプロセッサー５１２は、入力されたタッチ信号により２次元座標情報を生ずるとともに、この２次元座標情報を処理して通信モジュール４１４に通信する。前記通信モジュール４１４は、入力される情報を無線で前記ゲーム機４０２に伝送する。
【００４８】
本発明で、使用者がコントロールパネル１１４又は４１４の一点或いは多点が触れる。即ち、使用者が同じな時間で一指又は多指で前記コントロールパネル１１４又は４１４が触れる。以下、光学式、抵抗式、コンデンサー式、表面音波検出式又は光電式コントロールパネルに対して別々に説明する。
【００４９】
図６は、本発明に用いられる光学式２次元入力装置の一例を示す図である。図６の２次元入力装置６０２は、タッチ区域６０４と、光線センサ（ｐｈｏｔｏ  ｓｅｎｓｏｒ）６１２及び６１４と、処理回路６１６と、を含む。前記光線センサ６１２及び６１４は、前記処理回路６１６に電気接続されている。前記タッチ区域６０４は、３つの辺に３つの反射体６０６、６０８及び６１０がそれぞれ設置されている矩形の区域である。前記光線センサ６１４は、前記反射体６０６及び６０８によって反射される反射光を検出し、前記光線センサ６１２は、前記反射体６０８及び６１０によって形成される反射光を検出することができる。前記タッチ区域６０４を触る場合、前記光線センサ６１２及び６１４により検出される画像が前記処理回路６１６に入力される。前記処理回路６１６は、図２の第一マイクロプロセッサー２３２と図５のマイクロプロセッサー５１２と同じな効果を起こす。前記処理回路６１６は、入力される画像に従って座標位置を検出する。処理回路が入力される画像に従って座標位置を検出する技術は、番号が４７８２３２８と、４５０４５５７及び６８０３９０６であるアメリカ特許を参照することができる。
【００５０】
図７は、本発明に用いられる光学式２次元入力装置の他の例を示す図である。図７の２次元入力装置６０２は、タッチ区域６０４と、光線センサ６１４と、処理回路６１６と、を含む。前記タッチ区域６０４は、３つの辺に３つの反射体６０６、６０８及び６１８がそれぞれ設置されている矩形の区域である。前記反射体６０８は、反射用表面鏡（ｐｌａｎｅ  ｍｉｒｒｏｒ）或いは他の形状の反射体である。
【００５１】
図７で、前記タッチ区域６０４を触る場合、前記光線センサ６１４により検出される画像が前記処理回路６１６に入力される。前記処理回路６１６は、図２の第一マイクロプロセッサー２３２と図５のマイクロプロセッサー５１２と同じな効果を起こす。図７で、前記処理回路６１６が入力される画像により座標位置を検出する技術は、２００９年１月１２日に出願し、番号が０９８１００９６９である中国の特許を参照することができる。
【００５２】
図８は、本発明に用いられる光学式２次元入力装置の他の例を示す図である。図８の２次元入力装置６０２は、タッチ区域６０４と、光線センサ６１２、６１４、６２２及び６２４と、処理回路６１６と、を含む。前記光線センサ６１２、６１４、６２２及び６２４は、前記処理回路６１６に電気接続されている。前記タッチ区域６０４は、４つの辺に４つの反射体６０６、６０８、６１０及び６２０がそれぞれ設置されている矩形の区域である。前記タッチ区域６０４を触る場合、前記光線センサ６１４により検出される画像が前記処理回路６１６に入力される。前記処理回路６１６は、図２の第一マイクロプロセッサー２３２と図５のマイクロプロセッサー５１２と同じな効果を起こす。図８で、前記処理回路６１６が入力される画像により座標位置を検出する技術は、２００８年１１月１７日に出願し、番号が０９７１４３２１７である中国の特許を参照することができる。
【００５３】
図９は、本発明に用いられる抵抗式２次元入力装置の一例を示す図である。図９の２次元入力装置９００は、隔離フィルム９０２と、下透過フィルム９０４と、上透過フィルム９０６と、を含む。前記下透過フィルム９０４は、前記隔離フィルム９０２と前記上透過フィルム９０６との間に設置されている。前記下透過フィルム９０４の上表面には、Ｙ軸信号を透過させ且つ互いに平行するように配置される複数のＹ軸抵抗式検出パターン９０４ａが設置され、前記上透過フィルム９０６の下表面には、Ｘ軸信号を透過させ且つ互いに平行するように配置されるＸ軸抵抗式検出パターン９０６ａが設置されている。且つ、前記複数のＹ軸抵抗式検出パターン９０４ａの配列方向と前記Ｘ軸抵抗式検出パターン９０６ａの配列方向が互いに垂直するように設置されている。各々のＹ軸抵抗式検出パターン９０４ａの両端には、Ｙ軸電極９０４ｂが設置され、各々のＸ軸抵抗式検出パターン９０６ａの両端には、Ｘ軸電極９０６ｂが設置されている。本実施形態の２次元入力装置が作動する場合、前記Ｙ軸電極９０４ｂ及びＸ軸電極９０６ｂに電圧を入力するとともに、周期に両者の電圧変化を検出する。
【００５４】
図９の上透過フィルム９０６を触る場合、タッチセンサモジュール２３０（図２を参照なさい）にタッチ信号が生じるとともに、このタッチ信号を第一マイクロプロセッサー２３２（図２を参照なさい）に入力して、タッチ位置に関する情報を獲る。図９でタッチ位置に関する情報を獲る方法は、公開番号が２００９１５１６５である中国台湾の特許を参照することができる。
【００５５】
図１０は、本発明に用いられるコンデンサー式２次元入力装置の一例を示す図である。図１０の２次元入力装置のコントロールパネル１０００は、上方から下方へに順に配置される上側パネル１００２と、Ｙ軸感応層１００４と、絶縁層１００６と、Ｘ軸感応層１００８と、下側パネル１０１０と、を含む。指１０１２で前記上側パネル１００２を場合、触った所のキャパシタンスが変わる。タッチセンサモジュール２３０（図２を参照なさい）は、キャパシタンス変化によりタッチ信号を生じるとともに、このタッチ信号を第一マイクロプロセッサー２３２（図２を参照なさい）に入力して、タッチ位置に関する情報を獲る。前記第一マイクロプロセッサー２３２は、入力されたキャパシタンス変化量を感応量に変えて、所定値と比べる。例えば、感応量が所定値より大きいとコントロールパネル１０００を触っている状態を説明し、感応量が所定値より小さいとコントロールパネル１０００を触らない状態を説明する。図１０でタッチ位置に関する情報を獲る方法は、公告番号が２６９９９７である中国台湾の特許を参照することができる。
【００５６】
図１１は、本発明に用いられる表面音波検出式２次元入力装置の一例を示す図である。図１１の２次元入力装置１１００は、基板１１０２と、制御システム１１０４と、出力トランスデューサースイッチ１１０６と、振幅検出器１１０８と、を含む。前記出力トランスデューサースイッチ１１０６と振幅検出器１１０８は、前記制御システム１１０４に電気接続されている。前記制御システム１１０４は、図２に示すタッチセンサモジュール２３０又は第一マイクロプロセッサー２３２であることができる。
【００５７】
前記基板１１０２には、２つの出力トランスデューサーＴ１、Ｔ２と２つの接収トランスデューサーＲ１、Ｒ２が設置され、前記制御システム１１０４は、別々に前記トランスデューサーＴ１、Ｔ２、Ｒ１及びＲ２に間接に接続されている。各々のトランスデューサーＴ１、Ｔ２、Ｒ１及びＲ２は、各々の路線Ｐ１、Ｐ２、Ｐ３及びＰ４に沿って配列され、且つｅ１からｅｎまで配列する反射ユニットから構成される反射グリッドＧ１、Ｇ２、Ｇ３及びＧ４を含む。前記制御システム１１０４は、前記出力トランスデューサースイッチ１１０６を介して発射信号を生じるとともに、この信号を前記出力トランスデューサーＴ１、Ｔ２に出力する。従って、前記出力トランスデューサーＴ１、Ｔ２に前記路線Ｐ１、Ｐ２に沿う表面波が形成される。前記接収トランスデューサーＲ１、Ｒ２は、前記表面波のエネルギーを接収して（前記振幅検出器１１０８に適用する）信号に変えるとともに、この信号を前記振幅検出器１１０８に出力する。図１１でタッチ位置に関する情報を獲る方法は、特許番号が４６４４１００である中国台湾の特許を参照することができる。
【００５８】
本発明の２次元入力装置とそれを用いるコントローラーにおいて、使用者が２次元入力装置を介してゲームプログラムとインタラクティブ式データを入力することができるから、使用者が多様なゲームプログラムを選択することができる。また、２次元入力装置とゲーム機が互いに通信することができるから、操作の過程を簡単にし、より多い種類のゲームを遊べる。
【図面の簡単な説明】
【００５９】
【図１】本発明の第一実施形態に係るインタラクティブ式（ｉｎｔｅｒａｃｔｉｖｅ）ゲームシステムを示す図である。
【図２】本発明の第一実施形態に係るインタラクティブ式ゲームシステムの２次元入力装置とリモコンの電気回路を示す図である。
【図３】本発明の他の実施形態に係る２次元入力装置とリモコンの電気回路を示す図である。
【図４】本発明の他の実施形態に係るインタラクティブ式ゲームシステムを示す図である。
【図５】図４のインタラクティブ式ゲームシステムの２次元入力装置とリモコンの電気回路を示す図である。
【図６】本発明に用いられる光学式２次元入力装置の一例を示す図である。
【図７】本発明に用いられる光学式２次元入力装置の他の例を示す図である。
【図８】本発明に用いられる光学式２次元入力装置の他の例を示す図である。
【図９】本発明に用いられる抵抗式２次元入力装置の一例を示す図である。
【図１０】本発明に用いられるコンデンサー式２次元入力装置の一例を示す図である。
【図１１】本発明に用いられる表面音波検出式２次元入力装置の一例を示す図である。
【符号の説明】
【００６０】
１００  インタラクティブ式ゲームシステム
１００ａ  ゲームシステム本体
１００ｂ  コントローラー
１０２  ゲーム機
１０４  表示装置
１０６  光源発射モジュール
１０８  リモコン
１０８ａ〜１０８ｈ  ボタン
１０８ｉ  指示ランプ
１１０  電線
１１２  ２次元入力装置
１１４  コントロールパネル
２０２  コア電気回路
２０４  画像処理回路
２０６  操作モジュール
２０８  加速度センサ
２１０  第二コネクタモジュール
２１２  第二マイクロプロセッサー
２１４  通信モジュール
２１６  第二記憶装置
２１８  赤外線透過レンズ
２２０  レンズ
２２２  撮影モジュール
２２４  画像処理モジュール
２２６  第一コネクタモジュール
２２８  コントロールパネル
２３０  タッチセンサモジュール
２３２  第一マイクロプロセッサー
３１０  第二通信モジュール
３１４  第一通信モジュール
３２６  第三通信モジュール
２３２  第一マイクロプロセッサー
２３４  第一記憶装置
４００  インタラクティブ式ゲームシステム
４００ａ  ゲームシステム本体
４００ｂ  コントローラー
４０２  ゲーム機
４０４  表示装置
４０６  光源発射モジュール
４１２  ２次元入力装置
４１４  コントロールパネル
５０２  コア電気回路
５０４  画像処理回路
５０６  操作モジュール
５０８  加速度センサ
５１２  マイクロプロセッサー
５１４  通信モジュール
５１６  記憶装置
５１８  赤外線透過レンズ
５２０  レンズ
５２２  撮影モジュール
５２４  画像処理モジュール
５２６  タッチセンサモジュール
５２８  コントロールパネル
６０２  ２次元入力装置
６０４  タッチ区域
６０６、６０８、６１０、６１８、６２０  反射体
６１２、６１４、６２２、６２４  光線センサ
６１６  処理回路
９００  ２次元入力装置
９０２  隔離フィルム
９０４  下透過フィルム
９０４ａ  Ｙ軸抵抗式検出パターン
９０４ｂ  Ｙ軸電極
９０６  上透過フィルム
９０６ａ  Ｘ軸抵抗式検出パターン
９０６ｂ  Ｘ軸電極
１０００  コントロールパネル
１００２  上側パネル
１００４  Ｙ軸感応層
１００６  絶縁層
１００８  Ｘ軸感応層
１０１０  下側パネル
１０１２  指
１１００  ２次元入力装置
１１０２  基板
１１０４  制御システム
１１０６  出力トランスデューサースイッチ
１１０８  振幅検出器
Ｔ１、Ｔ２  出力トランスデューサー
Ｒ１、Ｒ２  接収トランスデューサー
Ｐ１、Ｐ２、Ｐ３、Ｐ４  路線
ｅ１〜ｅｎ  反射ユニット
Ｇ１、Ｇ２、Ｇ３、Ｇ４  反射グリッド
【図１】
2010279676.tif 000003
【図２】
2010279676.tif 000004
【図３】
2010279676.tif 000005
【図４】
2010279676.tif 000006
【図５】
2010279676.tif 000007
【図６】
2010279676.tif 000008
【図７】
2010279676.tif 000009
【図８】
2010279676.tif 000010
【図９】
2010279676.tif 000011
【図１０】
2010279676.tif 000012
【図１１】
2010279676.tif 000013